(57)【要約】【課題】ユーザーのニーズや特性に応じた表示を行なうことが可能な名称表示装置を提供すること。【解決手段】ユーザーの通称使用状況を認識する通称使用状況認識手段を備え、通称使用状況認識手段により認識された通称使用状況に基づいて、正式名称と通称とを切替えて表示することを特徴とする、名称表示装置（１）。通称使用状況認識手段は、例えば、ユーザーの発声内容を認識する発声内容認識手段や、ユーザーによりなされたテキスト入力を収集するテキスト入力収集手段（４０、１００）を備える。【選択図】図１
2008261702.tif 000002
【特許請求の範囲】
【請求項１】
ユーザーの通称使用状況を認識する通称使用状況認識手段を備え、
該通称使用状況認識手段により認識された通称使用状況に基づいて、正式名称と通称とを切替えて表示することを特徴とする、
名称表示装置。
【請求項２】
請求項１に記載の名称表示装置であって、
前記通称使用状況認識手段は、ユーザーの発声内容を認識する発声内容認識手段を備え、該発声内容認識手段により認識された発声内容を参照してユーザーの通称使用状況を認識する手段である、
名称表示装置。
【請求項３】
請求項１に記載の名称表示装置であって、
前記通称使用状況認識手段は、ユーザーによりなされたテキスト入力を収集するテキスト入力収集手段を備え、該テキスト入力収集手段により収集されたテキスト入力を参照してユーザーの通称使用状況を認識する手段である、
名称表示装置。
【発明の詳細な説明】
【技術分野】
【０００１】
本発明は、地名や建物名等を表示する名称表示装置に関する。
【背景技術】
【０００２】
従来、車両に搭載されて目的地までの道案内を行なうナビゲーション装置であって、正式名称と通称を記憶したデータベースを備える装置についての発明が開示されている（例えば、特許文献１参照）。この装置では、道案内に係る地名等の表示を行なう際に、車両の現在位置が自宅から所定距離範囲内の場合には通称を表示し、所定距離範囲外の場合には正式名称を表示するものとしている。
【特許文献１】特開２００２−１８８９２９号公報
【発明の開示】
【発明が解決しようとする課題】
【０００３】
しかしながら、上記従来の装置では、一律に、車両と自宅等の特定位置との距離に基づいて正式名称と通称の切り替えを行なっているため、ユーザーのニーズや特性に応じた表示切り替えを行なうことができない。例えば、高齢のユーザーにとっては、「スターバックス（登録商標）コーヒー」の通称（略称、渾名）である「スタバ」等は理解できない可能性が高いが、若年のユーザーにとっては直ちに理解できる可能性が高い。こうした事情は、車両の現在位置とは無関係に生じるものである。
【０００４】
本発明はこのような課題を解決するためのものであり、ユーザーのニーズや特性に応じた表示を行なうことが可能な名称表示装置を提供することを、主たる目的とする。
【課題を解決するための手段】
【０００５】
上記目的を達成するための本発明の一態様は、ユーザーの通称使用状況を認識する通称使用状況認識手段を備え、通称使用状況認識手段により認識された通称使用状況に基づいて、正式名称と通称とを切替えて表示することを特徴とする、名称表示装置である。
【０００６】
この本発明の一態様によれば、ユーザーの通称使用状況を認識する通称使用状況認識手段を備え、通称使用状況認識手段により認識された通称使用状況に基づいて、正式名称と通称とを切替えて表示するため、ユーザーのニーズや特性に応じた表示を行なうことができる。
【０００７】
本発明の一態様において、通称使用状況認識手段は、例えば、ユーザーの発声内容を認識する発声内容認識手段を備え、発声内容認識手段により認識された発声内容を参照してユーザーの通称使用状況を認識する手段である。
【０００８】
また、本発明の一態様において、通称使用状況認識手段は、例えば、ユーザーによりなされたテキスト入力を収集するテキスト入力収集手段を備え、テキスト入力収集手段により収集されたテキスト入力を参照してユーザーの通称使用状況を認識する手段である。
【発明の効果】
【０００９】
本発明によれば、ユーザーのニーズや特性に応じた表示を行なうことが可能な名称表示装置を提供することができる。
【発明を実施するための最良の形態】
【００１０】
以下、本発明を実施するための最良の形態について、添付図面を参照しながら実施例を挙げて説明する。
【実施例】
【００１１】
以下、本発明の一実施例に係る名称表示装置１について説明する。本実施例の名称表示装置１は、車載ナビゲーション装置の機能を拡張するものとして構成される。
【００１２】
［構成］
図１は、名称表示装置１の全体構成の一例を示す図である。名称表示装置１は、主要な構成として、車両に搭載されるＧＰＳ受信機１０、ナビゲーション装置用メモリ２０、ＨＭＩ（Human  Machine  Interface）４０、車両側送受信装置５０、及びナビゲーションコンピューター６０と、ユーザーにより携帯される携帯端末１００と、を備える。
【００１３】
ＧＰＳ受信機１０は、ＧＰＳ衛星から衛星の軌道と時刻のデータを含む電波信号を受信し、ナビゲーションコンピューター６０に出力する。
【００１４】
ナビゲーション装置用メモリ２０は、例えば、ＨＤＤ（Hard  Disc  Drive）やＤＶＤ（Digital  Versatile  Disk）、ＣＤ−ＲＯＭ等の記憶媒体であり、地図情報２２、ＨＭＩ入力情報２４、及び携帯端末入力情報２６が記憶されている。
【００１５】
地図情報２２は、交差点等を表すノード点と、ノード点を接続するリンクと、により道路形状が表現されており、各リンクで示される区間における道路幅、車線数、道路曲率等が、当該リンクと対応付けられて記憶されている。
【００１６】
また、地図情報２２は、地点情報２２Ａを含む。地点情報２２Ａは、主要な建物や地名、道路名、レジャー施設、ショッピング施設等（以下、単に「施設等」と称する）の名称及び属性を、それらの座標（緯度、経度）と対応付けて記憶したものである。ここで、施設等の「名称」としては、正式名称に加えて、通称（略称や渾名等）が存在する場合には通称が併せて記憶されている。また、「属性」とは、当該地点に存するものが如何なる施設であるか、又は地名であるのか、を判別するための情報である。なお、ＨＭＩ入力情報２４及び携帯端末入力情報２６については後述する。
【００１７】
施設等の「通称」は、例えば、車載インターネット設備３０を用いて車外のデータベースから定期的にダウンロードされる。車載インターネット設備３０は、例えば、携帯電話網等を利用して無線基地局と無線通信を行なってインターネットに接続し、車外のデータベースにアクセスする。なお、これ限らず、ガソリンスタンドや自動車整備工場等において有線接続してインターネットに接続するものであってもよい。
【００１８】
ＨＭＩ４０は、ユーザーと車載ナビゲーション装置の間の入出力インターフェースとなる機器群であり、例えば、画像表示を行なうと共に、タッチパネルとしてユーザーによる種々の入力操作を可能に構成されたディスプレイ装置や、音声入出力のためのマイク、スピーカー、ブザー等からなる。ＨＭＩ４０の出力内容はナビゲーションコンピューター６０により決定され、ＨＭＩ４０になされた入力はナビゲーションコンピューター６０に出力されると共に、ＨＭＩ入力情報２４としてナビゲーション装置用メモリ２０に記憶される。なお、ＨＭＩ４０は、車載ナビゲーション装置に対する指示入力を行なうのみならず、車載インターネット設備と接続されて、インターネット表示やこれに必要な入力がなされる装置としても用いられてよい。
【００１９】
ＨＭＩ入力情報２４の記憶処理に際して、タッチパネルに対してなされたテキスト情報は、そのままナビゲーション装置用メモリ２０に記憶されてよいが、マイクに入力された音声は、音声データとしてナビゲーション装置用メモリ２０に記憶されてもよいし、ナビゲーションコンピューター６０等において音声認識及びテキスト変換、圧縮等の各処理がなされた後の情報がナビゲーション装置用メモリ２０に記憶されてもよい。
【００２０】
また、ＨＭＩ入力情報２４としてナビゲーション装置用メモリ２０に記憶される情報のうち、「マイクに入力された音声」とは、目的地入力や表示内容切り替え等の車載ナビゲーション装置に対する直接の指示入力に限定されず、例えば車室内の乗員同士の会話を含んでもよい。
【００２１】
車両側送受信装置５０は、携帯端末１００との間で、有線又は無線により情報の送受信を行なう。有線により携帯端末１００と送受信を行なう場合は、機械的に携帯端末１００を連結する連結機構、又は接続ケーブルや端子等を備えることが考えられる。また、無線により携帯端末１００と送受信を行なう場合は、例えばBluetooth（登録商標）やＤＳＲＣ（Dedicated  Short  Range  Communication）等の中継局を必要としない通信、或いは携帯電話網やＰＨＳ（Personal  Handy-phone  System）網等の中継局を介した通信ネットワークにより、無線通信を行なう。
【００２２】
携帯端末１００は、例えば、携帯電話やＰＤＡ（Personal Digital Assistance）、ノートパソコン等の、ユーザーにより携帯可能な端末であり、携帯端末用メモリ１０２、及び携帯端末用送受信装置１０４を有する。
【００２３】
携帯端末用メモリ１０２には、携帯端末１００になされた入力情報が記憶される。携帯端末１００になされた入力情報とは、携帯端末１００が携帯電話である場合は、電話における会話の音声データ（或いは、携帯端末１００内において音声認識及びテキスト変換等がなされた情報）や、メール・インターネット等を使用した際に入力されたテキスト情報である。また携帯端末１００が他の態様である場合も、携帯電話である場合に準じた情報が記憶される。
【００２４】
車両側送受信装置５０は、無線通信により、又は携帯端末１００が有線接続されたことにより、車室内に携帯端末１００が存在するのを検知する。そして、車室内に携帯端末１００が存在するのを検知した際に、携帯端末用メモリ１０２に記憶された入力情報を送信するように、携帯端末用送受信装置１０４にリクエスト信号を送信する。携帯端末用送受信装置１０４では、これに応じて携帯端末用メモリ１０２に記憶された入力情報を車両側送受信装置５０に送信する。この際に、既に送信した入力情報を携帯端末用メモリ１０２から消去してもよい。
【００２５】
車両側送受信装置５０は、入力情報を携帯端末１００から受信すると、これを携帯端末入力情報としてナビゲーション装置用メモリ２０に記憶させる。この際に、音声データに関してはナビゲーションコンピューター６０等において音声認識及びテキスト変換、圧縮等の各処理を行なってからナビゲーション装置用メモリ２０に記憶させてもよい点については、ＨＭＩ入力情報２４の場合と同様である。
【００２６】
ナビゲーションコンピューター６０は、例えば、ＣＰＵを中心としてＲＯＭやＲＡＭ等がバスを介して相互に接続されたコンピューターユニットであり、その他、専用の記憶媒体やＩ／Ｏポート、タイマー、カウンター等を備える。ＲＯＭには、ＣＰＵが実行するプログラムやデータが格納されている。
【００２７】
また、ナビゲーションコンピューター６０は、車載ナビゲーション装置の本来的な機能として、ＧＰＳ受信機１０が受信した電波信号の時間差に基づく演算を行なって自車両の現在位置（緯度、経度、高度）を特定し、自車両の現在位置からＨＭＩ４０に対して入力された目的地に至るまでの推奨経路を生成し、推奨経路に沿って自車両が走行できるようにＨＭＩ４０を用いてナビゲーション表示や音声案内を行なう。ナビゲーションコンピューター６０は、このナビゲーション表示を行なう際等において、以下の如き手法により地点情報２２Ａに含まれる正式名称と通称とを切替えて表示するように、ＨＭＩ４０を制御する。
［正式名称と通称の切替え］
図２は、ナビゲーションコンピューター６０が正式名称と通称のいずれを表示するかを決定する際に実行する判断フローである。
【００２８】
まず、ナビゲーションコンピューター６０は、これから表示しようとする施設等の名称について、正式名称の他に通称が存在するか否かを判定する（Ｓ２００）。
【００２９】
施設等の名称について通称が存在しないと判定した場合は、正式名称を表示する（Ｓ２４０）。
【００３０】
一方、施設等の名称について通称が存在すると判定した場合は、当該施設等の正式名称が、表示困難な文字数であるか否かを判定する（Ｓ２１０）。このような判定を行なうのは、特に車載ナビゲーション装置の場合、表示画面を無制限に大きくすることができないという特有の問題があり、例えば、「スターバックス（登録商標）コーヒー  ○○駅前店」等の長い正式名称を表示するのが困難な場合が生じるからである。なお、こうした問題は、音声等ではなく、視覚を通じて情報提供する装置に特有のものである。
【００３１】
当該施設等の正式名称が、表示困難な文字数でないと判定した場合は、正式名称を表示する（Ｓ２４０）。これは、正式名称が表示困難な文字数でない限りにおいては、正式名称を表示した方が便宜であるとの考えに基づくものである。
【００３２】
一方、当該施設等の正式名称が、表示困難な文字数である場合は、ＨＭＩ入力情報２４及び携帯端末入力情報２６に基づいて、ユーザー（運転者、その他の乗員をいう）が、当該施設について普段、通称を用いているか否かを判定する（Ｓ２２０）。
【００３３】
ここで、ユーザーが、当該施設について普段、通称を用いているか否かの判定は、例えば、ＨＭＩ入力情報２４及び携帯端末入力情報２６に含まれるテキスト情報から、当該施設の通称を検索して行なわれる。そして、当該施設の通称が少なくとも一つ存在すること、当該施設の通称が所定個数以上存在すること、或いは通称と正式名称の比率が一定値以上であること、等の条件を満たす場合に、ユーザーが、当該施設について普段、通称を用いていると判定すればよい。なお、一度このような手法により通称が用いられていると判定された施設については判定済みフラグを付与して、以降はＨＭＩ入力情報２４及び携帯端末入力情報２６の検索を省略し、通称が用いられていると判定してよい。こうすれば、処理時間の短縮を図ることができる。
【００３４】
ユーザーが、当該施設について、普段、通称を用いている場合は、当該施設について通称を表示する（Ｓ２３０）。一方、ユーザーが、当該施設について、普段、通称を用いていない場合は、当該施設について正式名称を表示する（Ｓ２４０）。この際に、文字数の問題については、縮小表示をしたり、末尾の一部を省略したりして解消するものとすればよい。
【００３５】
本実施例の名称表示装置１によれば、予め、ユーザーの発声内容（会話や音声入力）やテキスト入力を収集しておき、これに基づいてユーザーが各施設について普段、通称を用いているか否かを判定し、当該判定結果に基づいて正式名称を用いるか否かを決定するため、ユーザーのニーズや特性に応じた表示を行なうことができる。すなわち、年齢層等に応じて分かり易い態様で施設等の名称を表示することができる。
【００３６】
［変形例］
以上、本発明を実施するための最良の形態について実施例を用いて説明したが、本発明はこうした実施例に何等限定されるものではなく、本発明の要旨を逸脱しない範囲内において種々の変形及び置換を加えることができる。
【００３７】
例えば、ナビゲーションコンピューター６０が、図２の判断フローに代えて、図３に示す如き判断フローにより正式名称と通称のいずれを表示するかを決定するものとしてもよい。
【００３８】
すなわち、まず、これから表示しようとする施設等の名称について、正式名称の他に通称が存在するか否かを判定し（Ｓ３００）、施設等の名称について通称が存在しないと判定した場合は、正式名称を表示する（Ｓ３４０）。
【００３９】
一方、施設等の名称について通称が存在すると判定した場合は、当該施設等の正式名称が、表示困難な文字数であるか否かを判定する（Ｓ３１０）。
【００４０】
当該施設等の正式名称が、表示困難な文字数であると判定した場合は、通称を表示する（Ｓ３３０）。これは、正式名称が表示困難な場合は、縮小表示や末尾の一部省略をするよりは、通称を表示した方が便宜であるとの考えに基づくものである。
【００４１】
一方、当該施設等の正式名称が、表示困難な文字数でない場合は、ユーザーが、当該施設について普段、通称を用いているか否かを判定する（Ｓ３２０）。
【００４２】
ユーザーが、当該施設について、普段、通称を用いている場合は、当該施設について通称を表示する（Ｓ３３０）。これは、正式名称が表示困難でなくとも、普段、通称が用いられている場合は、通称を表示した方が分かり易いとの考えに基づくものである。
【００４３】
以上説明した如く、図３の判断フローに従って正式名称と通称のいずれを表示するかを決定する場合であっても、予め収集しておいたユーザーの発声内容やテキスト入力に基づいて正式名称を用いるか否かを決定するため、ユーザーのニーズや特性に応じた表示を行なうことができる。また、年齢層等に応じて分かり易い態様で施設等の表示を行なうことができる。
【００４４】
また、ユーザーの発声内容とテキスト入力のいずれか一方のみを、予め収集しておくものとしてもよい。
【００４５】
また、携帯端末１００を必須の構成とせず、ＨＭＩ４０に入力された発声内容及び／又はテキスト入力のみを予め収集しておくものとしてもよい。
【００４６】
また、名称表示装置１は、車載ナビゲーション装置以外のものに適用することも可能である。例えば携帯電話を用いた情報表示サービスの際に、図２や図３の判断フローを適用して正式名称と通称のいずれを表示するかを決定してもよい。
【産業上の利用可能性】
【００４７】
本発明は、自動車製造業や自動車部品製造業等に利用可能である。
【図面の簡単な説明】
【００４８】
【図１】名称表示装置１の全体構成の一例を示す図である。
【図２】ナビゲーションコンピューター６０が正式名称と通称のいずれを表示するかを決定する際に実行する判断フローである。
【図３】ナビゲーションコンピューター６０が正式名称と通称のいずれを表示するかを決定する際に実行する判断フローの他の例である。
【符号の説明】
【００４９】
１    名称表示装置
１０    ＧＰＳ受信機
２０    ナビゲーション装置用メモリ
２２    地図情報
２２Ａ  地点情報
２４    ＨＭＩ入力情報
２６    携帯端末入力情報
３０    車載インターネット設備
４０    ＨＭＩ
５０    車両側送受信装置
６０    ナビゲーションコンピューター
１００    携帯端末
１０２    携帯端末用メモリ
１０４    携帯端末用送受信装置
【図１】
2008261702.tif 000003
【図２】
2008261702.tif 000004
【図３】
2008261702.tif 000005